(57)【要約】【課題】  清掃テープの送り移動により光コネクタの接合端面を拭き取り清掃する光コネクタ清掃工具において、清掃テープの交換時等に、清掃テープを汚したり、傷めたりすることを防止できる技術の開発が求められていた。【解決手段】  清掃テープ２を巻装した供給リール３１と、テープ巻取用の巻取リール３２とを収納したカセット３００を、巻取リール３２を駆動する駆動部を組み込んだケース状の工具本体１１０に取り出し可能に収納出来るようにした光コネクタ清掃工具、光部品清掃工具を提供する。【選択図】  図１８
2007003901.tif 000002
【特許請求の範囲】
【請求項１】
清掃テープ（２、２Ａ〜２Ｃ）の送り移動により光コネクタ（６０）の接合端面（６１ａ）を拭き取り清掃する光コネクタ清掃工具であって、
ケース状の工具本体（１０）と、
前記清掃テープを巻装した供給リール（３１）及び使用後の清掃テープを巻き取って回収する巻取リール（３２）を外装ケース（３３、３０１）内に組み込んで構成され、前記工具本体内に取り出し可能に収納されるカセット（３、３００）と、
前記工具本体あるいは前記カセットから突設され、前記光コネクタを収容して接続するためのコネクタハウジング（７０）に挿入される挿入部（４、２０）と、
前記挿入部に設けられ、前記カセットの前記外装ケースに形成されたテープ引出口（３４）から引き出された前記清掃テープが巻き掛けられるとともに前記清掃テープを前記光コネクタの接合端面に押し当てるヘッド部材（４２０、２１）と、
前記工具本体に組み立てられ、該工具本体内に収納されたカセットの前記巻取リールを回転駆動させる駆動部（５）とを備え、
前記カセットを交換することで、清掃テープを交換できることを特徴とする光コネクタ清掃工具（１、１０１）。
【請求項２】
前記工具本体は、前記カセットを収納するカセット収納部（１３）と、このカセット収納部から突出する筒状に形成され、先端に前記挿入部が着脱可能に設けられる突出筒部（１４）とを具備し、前記筒状突部内に、前記カセット収納部内のカセットから引き出されて前記ヘッド部材に巻き掛けられる前記清掃テープが収納されるようになっており、
前記カセット収納部には、前記カセットが、前記テープ引出口が前記筒状突部側となる向きで収納されるようになっていることを特徴とする請求項１記載の光コネクタ清掃工具。
【請求項３】
前記カセットの前記外装ケース（３０１）は、供給リール及び巻取リールを収納するリール収納部（３０２）と、このリール収納部から突出する筒状に形成され、前記工具本体から外側に突出する筒状テープガイド（３０３）とを具備し、
前記筒状テープガイドは、前記リール収納部からの突出先端に、前記挿入部の前記ヘッド部材を取り付けるためのヘッド部材取付部（３０４）を具備し、
前記リール収納部から引き出された清掃テープが、前記筒状テープガイドの内側に通されて、前記ヘッド部材取付部に取り付けられたヘッド部材に巻き掛けられるようになっていることを特徴とする請求項１記載の光コネクタ清掃工具。
【請求項４】
前記カセットのリール収納部が細長形状であり、前記筒状テープガイドが、カセット収納部の長手方向に対して傾斜されていることを特徴とする請求項３記載の光コネクタ清掃工具。
【請求項５】
前記工具本体が、一対のケース半体（１１、１２）からなる分解及び一体化が可能な二つ割り構造であり、一対のケース半体を分離して工具本体を分解することで、工具本体に対する前記カセットの収納及び取り出しを行えることを特徴とする請求項１〜４のいずれかに記載の光コネクタ清掃工具。
【請求項６】
前記挿入部は、前記コネクタハウジングに挿入されるスリーブ状の挿入ハウジング（４１０）と、この挿入ハウジングの内側に組み込まれる前記ヘッド部材とを具備し、
前記挿入部は、前記挿入ハウジング及び／又はヘッド部材に形成された固定用基端部（４２１、４３）を、前記工具本体に開口された挿入部嵌合穴（１４ａ）に収納して固定されるようになっており、
前記挿入部嵌合穴は前記工具本体を構成する一対のケース半体の合わせ目（１６）に位置し、一対のケース半体を分離して前記工具本体を分解すると前記挿入部嵌合穴が開放されて、前記工具本体から挿入部を離脱できることを特徴とする請求項１〜５のいずれかに記載の光コネクタ清掃工具。
【請求項７】
前記駆動部は、
工具本体の外側から押し込み操作される押しボタン（５１）と、
押し込み操作された押しボタンを押し戻す方向に付勢する戻しばね（５２）と、
前記押しボタンに設けられたラック（５１ａ）に噛み合わされたピニオンギア（５３）と、
前記工具本体内に回転可能に取り付けられ、工具本体内に収納された前記カセットの巻取リールが離脱可能に嵌合されることで前記巻取リールと一体回転可能となる巻取軸（５５）と、
前記工具本体及び前記巻取軸の一方に形成されたラチェット溝（５５ｃ）と、前記工具本体及び前記巻取軸の他方から突設されて、前記ラチェット溝に係脱可能に係合するラチェット爪（５６）とからなり、前記巻取軸のテープ巻取方向の回転を許可し、かつ、前記テープ巻取方向とは逆方向の回転を規制する逆転防止用ラチェット機構と、
前記ピニオンギア及び前記巻取軸の一方に形成されたラチェット溝（５７）と他方に突設されたラチェット爪（５５ｄ）とからなり、前記押しボタンの押し込み操作時に前記ピニオンギアに前記巻取軸をテープ巻取方向に従動回転させ、押し込み操作された押しボタンが前記戻しばねによって初期位置に移動されるときに、前記巻取軸に対する前記ピニオンギアの回転を許可する巻取用ラチェット機構
とを具備していることを特徴とする請求項１〜６のいずれかに記載の光コネクタ清掃工具。
【請求項８】
前記逆転防止用ラチェット機構のラチェット溝と、前記巻取用ラチェット機構のラチェット溝とが、前記巻取軸に設けられ、
前記巻取軸に重ね合わせるようにして前記巻取軸と同軸上に配置して、前記工具本体に回転可能に取り付けられた巻取用ディスク（５４）に、前記ピニオンギアと前記巻取用ラチェット機構のラチェット爪とが設けられていることを特徴とする請求項７記載の光コネクタ清掃工具。
【請求項９】
前記押しボタンが、前記工具本体に枢着された引き金状になっていることを特徴とする請求項７又は８記載の光コネクタ清掃工具。
【請求項１０】
前記供給リールに回転抵抗を与えて、前記清掃テープのたるみを防止するたるみ防止機構（１８、１８ａ）を備えることを特徴とする請求項１〜９のいずれかに記載の光コネクタ清掃工具。
【請求項１１】
清掃テープ（２、２Ａ〜２Ｃ）の送り移動により光部品（６０）の端面（６１ａ）を拭き取り清掃する光部品清掃工具であって、
ケース状の工具本体（１０）と、
前記清掃テープを巻装した供給リール（３１）及び使用後の清掃テープを巻き取って回収する巻取リール（３２）を外装ケース（３３）内に組み込んで構成され、前記工具本体内に取り出し可能に収納されるカセット（３）と、
前記工具本体の側部に突設され、前記カセットの前記外装ケースに形成されたテープ引出口（３４）から引き出された前記清掃テープが巻き掛けられるとともに前記清掃テープを前記光部品の端面に押し当てるヘッド部材（４２０、２１）と、
前記工具本体に組み立てられ、該工具本体内に収納されたカセットの前記巻取リールを回転駆動させるための駆動部（５）とを備え、
前記カセットを交換することで、清掃テープを交換できることを特徴とする光部品清掃工具（１）。
【発明の詳細な説明】
【技術分野】
【０００１】
本発明は、コネクタハウジング内の光コネクタの接合端面を清掃する光コネクタ清掃工具および光部品の端面を清掃する光部品清掃工具に関する。
【背景技術】
【０００２】
周知のように、アダプタやレセプタクルなどのコネクタハウジング内での光コネクタ同士の接続は、各光コネクタの接合端面に臨む光ファイバの端面同士を突き合わせ接合することで実現される。
コネクタハウジングに光コネクタを挿入して突き合わせ接続する際、光コネクタの接合端面にゴミや埃、油分などの汚れが付着していると、着脱時の損傷や、伝送損失の増大などの原因になるため、突き合わせ接続に先立って、接合端面を清掃する必要がある。
【０００３】
この種の用途に用いられるクリーナー（以下、清掃工具）として、清掃テープが露出される開口部を先端に有した突出部分を備え、この突出部分を光コネクタアダプタ（光アダプタ）内の空間（コネクタ収容穴）に挿入することにより、前記清掃テープを、前記光コネクタアダプタに収容された光コネクタプラグ（光プラグ）のフェルールの接合端面に接触させ、清掃テープを前進送り（清掃テープが巻かれた供給リールから巻取リールへの送り移動）することにより、前記光プラグの接合端面を拭き取り清掃するようにしたものが提案されている（例えば特許文献１〜３参照）。
【特許文献１】特開２００４−１５１４０１号公報
【特許文献２】特開２００４−１５１４０２号公報
【特許文献３】特開２００４−１５１４０３号公報
【発明の開示】
【発明が解決しようとする課題】
【０００４】
従来の清掃工具の場合、清掃テープを交換するには、二つ割り構造のケース状である工具本体を分解して、清掃テープが巻かれた供給リールと、前進送りによって清掃に使用された清掃テープを巻き取って回収するための巻取リールとを交換するが、リールを床に落として清掃テープを汚してしまうことがあった。
また、供給リール及び巻取リールの内の一方を工具本体に収納してから、他方を工具本体に収納するときなどに、供給リールと巻取リールとの間に清掃テープを不必要に長く巻き出してしまうことがあり、清掃テープを捩れ等によって傷めたり、汚してしまうことがあった。
【０００５】
本発明は上記事情に鑑みてなされたものであり、清掃テープが巻かれた供給リール及び巻取リールを工具本体内に収納する作業（交換作業を含む）を、清掃テープを汚すことなく、簡単に行える清掃工具を提供することを課題とする。
【課題を解決するための手段】
【０００６】
前記課題を解決するため、本発明は、以下の解決手段を提供する。
請求項１に係る発明は、清掃テープの送り移動により光コネクタの接合端面を拭き取り清掃する光コネクタ清掃工具であって、ケース状の工具本体と、前記清掃テープを巻装した供給リール及び使用後の清掃テープを巻き取って回収する巻取リールを外装ケース内に組み込んで構成され、前記工具本体内に取り出し可能に収納されるカセットと、前記工具本体あるいは前記カセットから突設され、前記光コネクタを収容して接続するためのコネクタハウジングに挿入される挿入部と、前記挿入部に設けられ、前記カセットの前記外装ケースに形成されたテープ引出口から引き出された前記清掃テープが巻き掛けられるとともに前記清掃テープを前記光コネクタの接合端面に押し当てるヘッド部材と、前記工具本体に組み立てられ、該工具本体内に収納されたカセットの前記巻取リールを回転駆動させる駆動部とを備え、前記カセットを交換することで、清掃テープを交換できることを特徴とする。
請求項２に係る発明は、請求項１記載の光コネクタ清掃工具において、前記工具本体は、前記カセットを収納するカセット収納部と、このカセット収納部から突出する筒状に形成され、先端に前記挿入部が着脱可能に設けられる突出筒部とを具備し、前記筒状突部内に、前記カセット収納部内のカセットから引き出されて前記ヘッド部材に巻き掛けられる前記清掃テープが収納されるようになっており、前記カセット収納部には、前記カセットが、前記テープ引出口が前記筒状突部側となる向きで収納されるようになっていることを特徴とする。
請求項３に係る発明は、請求項１記載の光コネクタ清掃工具において、前記カセットの前記外装ケースは、供給リール及び巻取リールを収納するリール収納部と、このリール収納部から突出する筒状に形成され、前記工具本体から外側に突出する筒状テープガイドとを具備し、前記筒状テープガイドは、前記リール収納部からの突出先端に、前記挿入部の前記ヘッド部材を取り付けるためのヘッド部材取付部を具備し、前記リール収納部から引き出された清掃テープが、前記筒状テープガイドの内側に通されて、前記ヘッド部材取付部に取り付けられたヘッド部材に巻き掛けられるようになっていることを特徴とする。
請求項４に係る発明は、請求項３記載の光コネクタ清掃工具において、前記カセットのリール収納部が細長形状であり、前記筒状テープガイドが、カセット収納部の長手方向に対して傾斜されていることを特徴とする。
請求項５に係る発明は、請求項１〜４のいずれかに記載の光コネクタ清掃工具において、前記工具本体が、一対のケース半体からなる分解及び一体化が可能な二つ割り構造であり、一対のケース半体を分離して工具本体を分解することで、工具本体に対する前記カセットの収納及び取り出しを行えることを特徴とする。
請求項６に係る発明は、請求項１〜５のいずれかに記載の光コネクタ清掃工具において、前記挿入部は、前記コネクタハウジングに挿入されるスリーブ状の挿入ハウジングと、この挿入ハウジングの内側に組み込まれる前記ヘッド部材とを具備し、前記挿入部は、前記挿入ハウジング及び／又はヘッド部材に形成された固定用基端部を、前記工具本体に開口された挿入部嵌合穴に収納して固定されるようになっており、前記挿入部嵌合穴は前記工具本体を構成する一対のケース半体の合わせ目に位置し、一対のケース半体を分離して前記工具本体を分解すると前記挿入部嵌合穴が開放されて、前記工具本体から挿入部を離脱できることを特徴とする。
請求項７に係る発明は、請求項１〜６のいずれかに記載の光コネクタ清掃工具において、前記駆動部は、工具本体の外側から押し込み操作される押しボタンと、押し込み操作された押しボタンを押し戻す方向に付勢する戻しばねと、前記押しボタンに設けられたラックに噛み合わされたピニオンギアと、前記工具本体内に回転可能に取り付けられ、工具本体内に収納された前記カセットの巻取リールが離脱可能に嵌合されることで前記巻取リールと一体回転可能となる巻取軸と、前記工具本体及び前記巻取軸の一方に形成されたラチェット溝と、前記工具本体及び前記巻取軸の他方から突設されて、前記ラチェット溝に係脱可能に係合するラチェット爪とからなり、前記巻取軸のテープ巻取方向の回転を許可し、かつ、前記テープ巻取方向とは逆方向の回転を規制する逆転防止用ラチェット機構と、前記ピニオンギア及び前記巻取軸の一方に形成されたラチェット溝と他方に突設されたラチェット爪とからなり、前記押しボタンの押し込み操作時に前記ピニオンギアに前記巻取軸をテープ巻取方向に従動回転させ、押し込み操作された押しボタンが前記戻しばねによって初期位置に移動されるときに、前記巻取軸に対する前記ピニオンギアの回転を許可する巻取用ラチェット機構とを具備していることを特徴とする。
請求項８に係る発明は、請求項７記載の光コネクタ清掃工具において、前記逆転防止用ラチェット機構のラチェット溝と、前記巻取用ラチェット機構のラチェット溝とが、前記巻取軸に設けられ、前記巻取軸に重ね合わせるようにして前記巻取軸と同軸上に配置して、前記工具本体に回転可能に取り付けられた巻取用ディスクに、前記ピニオンギアと前記巻取用ラチェット機構のラチェット爪とが設けられていることを特徴とする。
請求項９に係る発明は、請求項７又は８記載の光コネクタ清掃工具において、前記押しボタンが、前記工具本体に枢着された引き金状になっていることを特徴とする。
請求項１１に係る発明は、清掃テープの送り移動により光部品の端面を拭き取り清掃する光部品清掃工具であって、ケース状の工具本体と、前記清掃テープを巻装した供給リール及び使用後の清掃テープを巻き取って回収する巻取リールを外装ケース内に組み込んで構成され、前記工具本体内に取り出し可能に収納されるカセットと、前記工具本体の側部に突設され、前記カセットの前記外装ケースに形成されたテープ引出口から引き出された前記清掃テープが巻き掛けられるとともに前記清掃テープを前記光部品の端面に押し当てるヘッド部材と、前記工具本体に組み立てられ、該工具本体内に収納されたカセットの前記巻取リールを回転駆動させるための駆動部とを備え、前記カセットを交換することで、清掃テープを交換できることを特徴とする光部品清掃工具を提供する。
【発明の効果】
【０００７】
本発明の清掃工具によれば、清掃テープが巻かれた供給リールと巻取リールとが組み込まれたカセットを工具本体内に収納することで、工具本体に供給リールと巻取リールとを一括して収納（交換を含む）できる。万一、カセットを床に落としてしまっても、カセット内に収納されている清掃テープを汚してしまう心配が無い。また、清掃テープをカセットのテープ引出口から引き出さない限り、清掃テープはカセット内に収納されているため、収納作業中に、清掃テープがカセットから不用意に引き出されてしまうといった心配も無い。供給リールと巻取リールとを個別に工具本体に収納する従来技術に比べて、供給リールに巻かれていた清掃テープが、収納作業中に、供給リールと巻取リールとの間に不必要に長く巻き出されてしまうといった心配も無い。
このため、収納作業において、清掃テープを、捩れ等を与えて傷めたり、汚してしまうといった不都合を防止でき、しかも、工具本体にカセットを収納するだけで、清掃テープの収納作業を簡単に行える。
【発明を実施するための最良の形態】
【０００８】
以下、本発明を実施するための最良の形態について、図面を参照して説明する。
図１〜図２４は、本発明の光コネクタ清掃工具（光部品清掃工具を兼ねる。以下、単に「清掃工具」という）の一実施の形態を示す図である。
【０００９】
図１０に示すように、本実施の形態の清掃工具１が適用される光コネクタプラグ６０（以下、単に光コネクタという場合がある）および光コネクタアダプタ７０（コネクタハウジング）は、ここではＪＩＳ  Ｃ  ５９８２等に規定されるＭＰＯ形光コネクタ（ＭＰＯ：Multifiber Push On）である。
【００１０】
光コネクタ６０は、ＪＩＳ  Ｃ  ５９８１等に規定されるＭＴ形光コネクタフェルール６１（ＭＴ:Mechanically Transferable。以下、単にフェルールという）をプラスチック製でスリーブ状のハウジング６２の先端部に収容した構成の光コネクタプラグであり、全体が外観扁平な断面形状に形成されている。
以下の説明では、光コネクタ６０のフェルール６１の扁平形状の短辺側に対応する方向（図１０の上下方向）を厚さ方向、長辺側に対応する方向を幅方向（図１０の左右方向）ということがある。また、フェルール６１の厚さ方向および幅方向に対応して、この光コネクタ６０と接続される光コネクタアダプタ７０ならびに該光コネクタアダプタ７０に挿入される清掃工具１の挿入部４（後述）についても同様に、厚さ方向および幅方向ということがある。
【００１１】
図１４に示すように、フェルール６１の接合端面６１ａの中心位置６６付近には、所定の個数（ここでは４個）の光ファイバ穴６１ｂ（微細孔）が配列されるように開口している。光ファイバ６３は、ここでは４心の光ファイバテープ心線であり、その先端部の樹脂被覆を除去してなる光ファイバ６３ａ（裸光ファイバ）を、フェルール６１の光ファイバ穴６１ｂに挿通することにより、他の光コネクタと突き合わせ接続可能に成端されるとともに、光コネクタ６０の内部を貫通して光コネクタ６０の後端から引き出されている。
図１０中、符号６４はブーツ、６８はカップリングである。
なお、光ファイバ６３としては、当該光プラグで成端するのに適したものであれば特に限定はなく、例えば単心または多心の光ファイバ心線、この光ファイバ心線をチューブに収納した光ファイバコードなどが採用可能である。
多心光ファイバテープ心線の心数は前述の４心に限定されない。光ファイバテープ心線としては単心のものでも良い。また、フェルール６１の対応心数も限定は無い（単心も可）。
【００１２】
フェルール６１の接合端面６１ａにおいて、光ファイバ穴６１ｂの幅方向外側の両側には、ガイドピン穴６１ｃが設けられている。フェルール６１同士は、ガイドピン穴６１ｃに挿入されて接合端面６１ａから突出するように設けられる突出部材６５（ガイドピン）を介して、周知のガイドピン嵌合方式の位置決め機構によって高精度に位置決めして、光ファイバ６３ａの端面同士を突き合わせ接合して接続されるようになっている。そしてこれにより、各フェルール６１に成端されている光ファイバ６３同士が光接続されるようになっている。
【００１３】
光コネクタアダプタ７０は、コネクタ収容穴７２の両側がコネクタ挿入口７１として開口したスリーブ状に形成されており、該コネクタ挿入口７１から光コネクタ６０を挿入することにより、コネクタ収容穴７２内に収容することができるようになっている。
なお、本発明でいう光コネクタアダプタ７０とは、両側の光コネクタ６０を位置決めして接続固定する中継器具を総称する。従って、光コネクタアダプタ７０に接続される両側の光コネクタ６０は、互いに同形状のものに限定されることはない。形状が異なる光プラグを接続可能であっても、光アダプタと称する。
【００１４】
光コネクタアダプタ７０の両側のコネクタ挿入口７１からコネクタ収容穴７２に光コネクタ６０を挿入すると、該光コネクタアダプタ７０内でフェルール６１同士が突き合わされ、これにより、各フェルール６１に成端されている光ファイバ６３同士が光接続されるようになっている。
この種の光コネクタ６０は、フェルール６１同士の突き合わせ力を付与するためのスプリング（図示略）を内蔵している。
【００１５】
この光コネクタアダプタ７０の内壁７０ａには、光コネクタ６０のハウジング６２の厚さ方向片側の側面に突設されたキー６２ａと嵌合しうるキー溝が設けられている。キー６２ａおよびキー溝７２ａは、それぞれの光コネクタ６０のハウジング６２および光コネクタアダプタ７０のコネクタ挿入口７１について、厚さ方向片側の側面にのみ形成されており、キー６２ａをキー溝７２ａに挿入できる向きでのみ、光コネクタ６０を光コネクタアダプタ７０に挿入できる。
【００１６】
さらに、光コネクタアダプタ７０には、コネクタ挿入口７１に挿入された光コネクタ６０のハウジング６２に係脱可能に係合される弾性爪が設けられている。光コネクタ６０のハウジング６２の幅方向両側の側面には、光コネクタアダプタ７０の前記弾性爪をガイドする凹溝６９と、前記弾性爪が係脱可能に係合される係合凹所（図示略）が設けられている。
【００１７】
（清掃工具の全体構成）
次に、清掃工具１について説明する。
この清掃工具１は、上記光コネクタ６０の接合端面６１ａの清掃に適用できるものである。
なお、本発明において、清掃対象となる光コネクタ（光部品）としては、必ずしも、ＭＰＯ形光コネクタの光コネクタプラグに限定されない。例えば、ＭＴフェルール（ＭＴ形光コネクタ）として機能させることができる部分（フェルール部）が、一体に樹脂成形されているハウジングを採用した構成のもの等も採用できる。
この明細書においては、フェルール６１の接合端面６１ａを、光コネクタ６０の接合端面６１ａと称して説明する場合がある。
【００１８】
図１（ａ）〜（ｃ）は、清掃工具１を示す図であり、（ａ）は正面図、（ｂ）は挿入部４側から見た側面図、（ｃ）は下面図である。また、図２は清掃工具１（組み立てた状態）を示す平断面図、図３は清掃工具１の構造を分解して示した平断面図、図４は清掃テープ２を送り移動するための駆動部５（後述）を示す図、図５は駆動部５の巻取用ディスクとラチェット爪との関係を示す図、図６は光コネクタアダプタ７０に挿入される挿入部４（後述）付近を示す図であり、（ａ）は平断面図、（ｂ）は正断面図、（ｃ）は挿入部４を先端側（光コネクタ６０の接合端面６１ａに押し当てられる側）から見た図、図７は清掃工具１の工具本体１０内に収納されるカセット３を示す平断面図、図８はカセット３を示す正断面図、図９は清掃テープ２と挿入部４のヘッド部材４２０との関係を示す図である。
【００１９】
図１〜図４に示すように、この清掃工具１は、ケース状の工具本体１０と、清掃テープ２を巻装した供給リール３１及び巻取リール３２が組み込まれ、前記工具本体１０内に取り出し可能に収納されるカセット３と、前記工具本体１０に突設され、光コネクタアダプタ７０に挿入される挿入部４と、前記工具本体１０内に収納された前記カセット３の前記巻取リール３２を回転駆動させるための駆動部５とを具備して構成されている。
【００２０】
（工具本体）
図１に示すように、前記工具本体１０は、前記カセット３を収納するカセット収納部１３と、このカセット収納部１３から突出された筒状の突出筒部１４とを備えている。
工具本体１０は、カセット収納部１３から突出筒部１４に向かって先細り形状となっている。筒状突部１４のカセット収納部１３から突出する先端は、前記挿入部４を取り付けるための挿入部嵌合部１４ａとして機能する。
【００２１】
前記カセット収納部１３は、外観扁平なケース状になっている。工具本体１０全体としても、外観扁平なケース状ということができる。
この工具本体１０は、一対のケース半体１１、１２を一体化して構成される二つ割り構造になっている。
【００２２】
ケース半体１１、１２は、一体化と分離とが可能である。
一体化して工具本体１０を構成している一対のケース半体１１、１２を分離すると、工具本体１０を分解できる。カセット収納部１３及び突出筒部１４も二つ割りに分解される。
一対のケース半体１１、１２を一体化すれば、工具本体１０が組み立てられる。図１中、符号１５ａ、１５ｂは、一対のケース半体１１、１２を一体化するためのネジである。このネジ１５ａ、１５ｂを緩めて取り外せば、一対のケース半体１１、１２を分離して工具本体１０を分解できる。
【００２３】
一対のケース半体１１、１２を一体化するための手段（一体化用固定手段）としては、前述のネジ以外、係合爪（弾性爪）や、嵌合部なども採用可能である。
前記係合爪（弾性爪）としては、一方のケース半体に形成されて他方のケース半体に係脱可能に係合するもの、前記嵌合部としては、一方のケース半体に形成されたピン孔に他方のケース半体に突設された圧入ピンが圧入によって嵌合され、かつ、人為的に強く引くことでピン孔に嵌合されている圧入ピンをピン孔から抜き出すことができるもの等、である。
但し、一体化用固定手段としては、一対のケース半体１１、１２の分離と一体化とを可能とするものが採用される。
【００２４】
ここでは工具本体１０（具体的には、工具本体１０を構成するケース半体１１、１２）は、ポリスチレン（ＰＳ）やポリオキシメチレン（ＰＯＭ、ポリアセタール）などのプラスチック等で形成されている。
ポリスチレンやポリオキシメチレンなどのプラスチックで形成された工具本体１０は、使用後に焼却処分することができる。
【００２５】
（清掃テープ）
清掃テープ２以下、単にテープということがある）は、特に限定されるものではなく、公知の適当な清浄布（不織布や織布）をテープ状に加工したものを採用することができる。例えば、ポリエステルやナイロンなどの極細の繊維からなるものなどが例示される。また、構造も、幅が概略一定である一般的なものである。
この清掃テープ２は、フェルール６１の接合端面６１ａから埃やゴミ等を除去するためのものであるため、埃やゴミを捕捉しやすく、捕捉した埃やゴミが、テープから離脱しにくいものを採用することが好ましい。
【００２６】
（カセット）
図７〜図９に示すように、カセット３は、供給リール３１と巻取リール３２とを、薄形ケース状の外装ケース３３内に組み込んだ構造になっている。供給リール３１と巻取リール３２とは、薄形ケース状の外装ケース３３の面方向に配列して組み込まれている。
図２、図３に示すように、このカセット３は、工具本体１０（詳細にはカセット収納部１３）内に突設された供給リール支持軸１８の外側に供給リール３１の円筒軸３１ａを嵌め込み、工具本体１０（詳細にはカセット収納部１３）内に組み立てられた駆動部５の巻取軸５５の巻取軸本体５５ａの外側に、巻取リール３２の円筒軸３２ａを嵌め込んで、駆動部５にセットした状態で、工具本体１０（詳細にはカセット収納部１３）内に収納される。
なお、供給リール支持軸１８は、工具本体１０の一対のケース半体１１、１２の内の片方（図示例では、符号１１のケース半体）の内面側に突設されている。前記駆動部５は、供給リール支持軸１８が突設されている側のケース半体１１に組み立てられている。
【００２７】
また、カセット３は、外装ケース３３に開口されたテープ引出口３４が、突出筒部１４に臨むように配置される向きで、カセット収納部１３に収納されるようになっている。
テープ引出口３４は、仕切壁３４ａによって二つに仕切られている（テープ引出口３４ｂ、３４ｃ）。供給リール３１と巻取リール３２との間に延在する清掃テープ２は、仕切壁３４ａで仕切られたテープ引出口３４ｂ、３４ｃに通されており、長手方向の途中が仕切壁３４ａの外側に配置される。清掃テープ２は、仮に、カセット３からの引き出し長が短くなっても、仕切壁３４ａに引っ掛かって外装ケース３３内に入り込まない。
【００２８】
供給リール３１は、円筒軸３１ａと、この円筒軸３１ａの軸方向の両端部に突設されたフランジ状の鍔部３１ｂとを有している。巻取リール３２は、円筒軸３２ａと、この円筒軸３２ａの軸方向の両端部に突設されたフランジ状の鍔部３２ｂとを有している。清掃テープ２は、円筒軸３１ａ、３２ａの軸方向両端の鍔部の間にて、円筒軸３１ａ、３２ａに巻かれる。
また、これらリール３１、３２は、一対の鍔部よりも外側に円筒軸３１ａ、３２ａを延長して突出させた部分であるリング状の軸突部３１ｃ、３２ｃを有している。各リール３１、３２は、円筒軸３１ａ、３２ａの両端の軸突部３１ｃ、３２ｃを、カセット３の外装ケース３３の表裏両面の面板３３ａ、３３ｂに貫通して形成された軸受け孔３３ｃ、３３ｄに挿入して、両側の面板３３ａ、３３ｂに回転自在に軸支されている。
【００２９】
供給リール３１及び巻取リール３２の鍔部３１ｂ、３２ｂは、外装ケース３３の内側に配置されており、外装ケース３３の面板３３ａ、３３ｂに重ね合わされている。
リール３１、３２の鍔部３１ｂ、３２ｂとカセット３の外装ケース３３の面板３３ａ、３３ｂとの間は、互いに軽く接するか、清掃テープ２が入り込めない程度の微小なクリアランスが確保される。すなわち、リール３１、３２の鍔部３１ｂ、３２ｂと外装ケース３３の両側の面板３３ａ、３３ｂとの間には、清掃テープ２が入り込める大きさの隙間は存在しない。このため、このカセット３では、例えば、清掃テープ２が、弛みによって、リール（供給リール３１あるいは巻取リール３２）から大きく浮き上がったとしても、清掃テープ２が、リール３１、３２から、リール３１、３２の鍔部３１ｂ、３２ｂと外装ケース３３の両側の面板３３ａ、３３ｂとの間の隙間に脱落する心配が無い。
【００３０】
清掃テープ２のリールからの浮き上がりは、あくまでも、カセット３の外装ケース３３内側にとどまる。
また、清掃テープ２は、弛みによって、リールから大きく浮き上がったとしても、駆動部５の操作によって前進送りしたときに、外装ケース３３の内面が、リールから浮き上がった清掃テープ２をリールの一対の鍔部の間に誘導する誘導面として機能するため、リールの一対の鍔部の間に収まる。これにより、清掃テープ２の送り操作（前進送り）の機能を、確実に維持できる。
【００３１】
前述した特許文献１、２、３に例示したような、従来構造の清掃工具では、工具本体内の駆動部の供給リール支持軸に嵌め込む供給リールと、巻取軸に嵌め込む巻取リールとは、本発明に係る清掃工具のように、カセットに一括収納されている訳ではない。従来構造の清掃工具では、強い衝撃力や強い振動が与えられたときに、清掃テープの弛みが大きくなって、清掃テープがリールから脱落してしまうことがある。清掃テープがリールから脱落すると、リールを嵌め込む軸（供給リール支持軸、巻取軸）に巻き付いて前進送りできなくなったり、無理な送り操作によって切断してしまう、などといった不都合を生じる。
【００３２】
これに対して、本発明に係る清掃工具１では、前述したように、供給リール３１と巻取リール３２とを組み込んだ構造のカセット３を工具本体１０内に収納する構造であり、リールからの清掃テープ２の脱落防止を簡単に実現できる。リールから脱落した清掃テープ２が、供給リール支持軸、巻取軸に巻き付いて前進送りできなくなるといった不都合を確実に防止できる。
カセット３内部は、清掃テープの前進送りのための駆動部が設けられる訳では無いため、非常に単純な構造で済む。このため、外装ケース３３等によって、リールからの清掃テープ２の脱落を防止できる構造とすることは容易である。
【００３３】
なお、外装ケース３３は、リールからの清掃テープ２の脱落を防止できる構成であれば良く、前述した構成に限定されない。例えば、一対の面板が、リールの一対の鍔部の間に配置された構造（換言すれば、リールの一対の鍔部が、両面板の外面側に配置された構造）等も採用可能である。
【００３４】
（挿入部）
次に、挿入部４の一例を説明する。
図３、図６（ａ）〜（ｃ）に示すように、挿入部４は、スリーブ状の挿入ハウジング４１０と、この挿入ハウジング４１０の内側に組み込まれヘッド部材４２０とを具備して構成されている。
【００３５】
ヘッド部材４２０は、挿入部４を光コネクタアダプタ７０に挿入したときに、光コネクタアダプタ７０に接続されている光コネクタ６０のフェルール６１の接合端面６１ａに清掃テープ２を押し付ける機能を果たす先端部４２２を有する。
ヘッド部材４２０には、前記清掃テープ２が、前記先端部４２２の端面（以下、先端面４２４）から、ヘッド部材４２０の上下（図４上下、図６（ｂ）上下）両側の側面４２５に沿って延在するように巻き掛けられる。
【００３６】
このヘッド部材４２０は、挿入ハウジング４１０に貫通して内装される細長形状に形成されている。このヘッド部材４２０は、軸方向寸法が、挿入ハウジング４１０よりも長い。このヘッド部材４２０は、基端側（先端部４２２とは反対の側）の固定用基端部４２１を突出筒部１４先端の開口部である挿入部嵌合穴１４ａ内に固定して、先端部４２２を工具本体１０から外側に突出させた状態で、工具本体１０に組み付けられる。先端部４２２は、ヘッド部材４２０の外側に組み付けられた挿入ハウジング４１０の先端（光コネクタアダプタ７０への挿入方向先端となる側）から少しだけ突出される。
【００３７】
ヘッド部材４２０は、ずれ防止用の小突起４２３が突設されている前記固定用基端部４２１を、突出筒部１４先端の挿入部嵌合穴１４ａに嵌め込むようにして収納して工具本体１０に取り付けられる。固定用基端部４２１は、挿入ハウジング４１０の基端側（先端側とは反対の側）から突出される。前記固定用基端部４２１の小突起４２３は、挿入部嵌合穴１４ａ内面に形成されている取付凹所１４ｂに嵌め込まれるため、これにより、ヘッド部材４２０の工具本体１０への押し込み及び工具本体１０から引き抜きが規制される。
【００３８】
図３、図１０等に示すように、挿入ハウジング４１０は、光コネクタ６０のハウジング６２と似た外観形状に形成された挿入スリーブ部４１１と、この挿入スリーブ４１１の軸方向一端部（基端部。前記「先端」とは反対の側）から突設された弾性爪４１２（図３、図６（ａ）参照）とを具備している。弾性爪４１２は、ヘッド部材４２０に係脱可能に係合する。
【００３９】
前記挿入ハウジング４１０は、挿入スリーブ部４１１を、光コネクタアダプタ７０に挿入した際に、光コネクタアダプタ７０のコネクタ収容穴７２の内面等によって位置決めされる。光コネクタアダプタ７０内で挿入ハウジング４１０が位置決めされると、ヘッド部材４２０の先端面４２４が、光コネクタアダプタ７０の挿入されている光コネクタ６０のフェルール６１の接合端面６１ａに対して位置決めされる。挿入ハウジング４１０は、ヘッド部材４２０の先端面４２４を、光コネクタアダプタ７０の他端部に挿入されている光コネクタ６０のフェルール６１の接合端面６１ａに対して位置決めする機能を果たす。
【００４０】
挿入ハウジング４１０の外面の幅方向両側には、当該挿入部４を光コネクタアダプタ７０に挿入した際に、該光コネクタアダプタ７０内の弾性爪をガイドするための凹溝４１４が形成されている。但し、挿入ハウジング４１０の側部には、弾性爪が係合される係合凹所は形成されていないため、挿入ハウジング４１０は光コネクタアダプタ７０に挿入されても、光コネクタアダプタ７０内の弾性爪と係合する訳ではない。このため、挿入ハウジング４１０は、光コネクタアダプタ７０に対して自由に挿脱できる。
また、挿入ハウジング４１０は、光コネクタアダプタ７０のキー溝７２ａと嵌合しうる逆差し防止用のキー４１５が、厚さ方向片側の側面のみに突設されていることも、光コネクタ６０と同様である。
【００４１】
前記挿入ハウジング４１０は、前記工具本体１０の突出筒部１４、あるいは、突出筒部１４に固定したヘッド部材４２０に着脱可能に組み付ける。
図３、図６（ａ）に示すように、図示例の挿入ハウジング４１０は、該挿入ハウジング４１０の先端部（図３右側、図６（ａ）右側。光コネクタアダプタ７０への挿入方向先端側）とは反対の基端部にアーム状に突設された一対の弾性爪４１２を、ヘッド部材４２０の両側面（左側面、右側面面）に形成された係合凹所４２８に係脱可能に係合させることで、ヘッド部材４２０に着脱可能に組み付けられる。係合凹所４２８には、アーム状の弾性爪４１２の先端に突設された係合突起４１３が入り込んで係合する。
係合凹所４２８に係合してヘッド部材４２０の両側面に沿わせて配置された弾性爪４１２は、挿入嵌合穴１４ａ内面によってヘッド部材４２０の側面から離れないように押さえ込まれる。これにより、ヘッド部材４２０に対する弾性爪４１２の係合が維持され、挿入ハウジング４１０の工具本体１０（詳細には突出筒部１４）から引き抜き及び工具本体１０への押し込みが規制される。
【００４２】
なお、図示例のヘッド部材４２０では、前記係合凹所４２８は、ヘッド部材４２０の左右の側面に形成された弾性爪収納溝４２９内に形成されている。この弾性爪収納溝４２９は、挿入ハウジング４１０の弾性爪４１２を収納できる。
挿入ハウジング４１０の弾性爪４１２は、弾性爪収納溝４２９に収納して係合凹所４２８に係合させる。
また、挿入ハウジング４１０は、弾性爪４１２が突出筒部１４内に収納されて、挿入スリーブ部４１１は突出筒部１４先端に配置される。
【００４３】
挿入ハウジング４１０を工具本体１０に取り付けるための構造としては、上述したものに限定されない。例えば、挿入ハウジング４１０に、突出筒部１４の挿入嵌合穴１４ａ内面の係合部（凹部又は凸部）に係脱可能に係合する爪を突設した構成など、様々な構成を採用できる。
但し、いずれの構成でも、清掃テープ２の交換に鑑みて、工具本体１０（詳細には突出筒部１４）に対する挿入部４の着脱が可能であり、しかも、挿入部４を工具本体１０から取り出した状態で、挿入ハウジング４１０に対するヘッド部材４２０の挿脱が可能であるようにする。
【００４４】
前記挿入部嵌合穴１４ａは、前記工具本体１０を構成する一対のケース半体１１、１２の合わせ目１６に位置している。
一対のケース半体１１、１２を一体化して工具本体１０を組み立てるときに、ヘッド部材４２０の固定用基端部４２１を、前記挿入部嵌合穴１４ａの形成位置に配置されるようにして、一対のケース半体１１、１２の間に割り込ませ、一対のケース半体１１、１２を一体化することで、前記固定用基端部４２１を突出筒部１４に収納する。ヘッド部材４２０には、予め、挿入ハウジング４１０を外挿して組み付けておく。
一対のケース半体１１、１２の一体化によって工具本体１０が組み立てられると、突出筒部１４に、ヘッド部材４２０の固定用基端部４２１が固定され、挿入ハウジング４１０も突出筒部１４に固定されることとなる。これにより、挿入部４が工具本体１０（詳細には、突出筒部１４先端）に突設される。
一対のケース半体１１、１２を分離して前記工具本体１０を分解すると、前記挿入部嵌合穴１４ａが開放されて、挿入部嵌合穴１４ａに収納されていた挿入部４を前記工具本体１０（詳細には突出筒部１４）から離脱できる。
【００４５】
図示例の工具本体１０では、突出筒部１４においてケース半体１１、１２を一体化する一体化用固定手段として、突出筒部１４の外側にクランプリング１７が離脱可能に装着される。クランプリング１７としては、例えば、金属板をＣ形、コ字形に成形したばね等を採用できるが、一体化用固定手段として、これに以外に、例えば、インシュロックタイ等の結束具なども採用できる。このクランプリング１７のクランプ力によって、挿入部嵌合穴１４ａに収納されている挿入部４の固定用基端部４１１が工具本体１０（詳細には突出筒部１４）にしっかりと固定される。
なお、クランプリング１７は、省略することも可能である。
【００４６】
図６（ｃ）に示すように、ヘッド部材４２０に巻き掛けられた前記清掃テープ２の内、ヘッド部材４２０の両側面４２５に沿って延在配置される部分は、ヘッド部材４２０の両側面４２５に、ヘッド部材４２０の軸方向に沿って延在形成されたガイド溝４２６内に収納されている。ガイド溝４２６の内面は、駆動部５の操作による供給リール３１から巻取リール３２へ送り移動（前進送り）される清掃テープ２をガイドするガイド面として機能する。
【００４７】
ヘッド部材４２０の先端部４２２には、清掃テープ２の内、カセット３の供給リール３１と巻取リール３２との間に延在する部分を、カセット３から挿入部４先端まで引き出した部分が巻き掛けられる。
突出筒部１４内部の空間は、工具本体１０のカセット収納部１３内の空間と連通されており、ヘッド部材４２０の先端部４２２に巻き掛けられる清掃テープ２は、カセット収納部１３内のカセット３から、突出筒部１４内に通して、挿入部４先端のヘッド部材４２０の先端部４２２まで引き出された部分である。
清掃テープ２を供給リール３１から巻取リール３２に巻き取るように送り移動（前進送り）すると、供給リール３１から巻き出された清掃テープ２が、突出筒部１４から、ヘッド部材４２０の一方の側面４２５ａの側のガイド溝４３０を通って、ヘッド部材４２０の先端面４２４に至り、先端面４２４から、ヘッド部材４２０の他方の側面４２５ｂの側のガイド溝４３０を通って、突出筒部１４を経由して、カセット３の巻取リール３２に巻き取られる。
【００４８】
（駆動部）
図２〜図５に示すように、前記駆動部５は、押し込み操作される押しボタン５１と、押し込み操作された押しボタン５１を押し戻す方向に付勢する戻しばね５２と、前記押しボタン５１に設けられたラック５１ａに噛み合わされたピニオンギア５３が周設された巻取ディスク５４と、前記工具本体１０内に回転可能に取り付けられ、前記カセット３の巻取リール３２が離脱可能に嵌合される巻取軸本体５５ａを有する巻取軸５５と、ケース半体１１内面に突設され、前記巻取軸５５の外周に突設されたフランジ部５５ｂに形成されたラチェット溝５５ｃに係脱可能に係合するラチェット爪５６（弾性爪。以下、逆転防止用ラチェット爪とも言う）とを具備して構成されている。
この駆動部５は、押しボタン５１の一部（操作部）が、工具本体１０の外側に突出されている他は、全体が、工具本体１０内に収納されている。
【００４９】
巻取軸５５のラチェット溝５５ｃとラチェット爪５６とは、前記巻取軸５５のテープ巻取方向の回転（つまり、巻取軸本体５５ａに嵌合された巻取リール３２のテープ巻取方向と同じ方向の回転）を許可し、かつ、前記テープ巻取方向とは逆方向の回転を規制する逆転防止機構（ラチェット機構）を構成する。
巻取リール３２は、該巻取リール３２の円筒軸３２ａ内面に形成されたギア３２ｄ（図７，図８参照）を、巻取軸本体５５ａの外周面に形成されたギア（図示略）に噛み合わせて巻取軸５５に嵌め込む。これにより、巻取軸５５と一体回転するようになる。
巻取軸５５及び巻取リール３２は、テープ巻取方向（図４、図５中、矢印Ａの回転方向）には、逆転防止用ラチェット爪５６がラチェット溝５５ｃに対して係合することなく滑ることで回転するが、テープ巻取方向とは逆の方向には、逆転防止用ラチェット爪５６がラチェット溝５５ｃに係合することで、回転が規制される。
【００５０】
押しボタン５１は、工具本体１０の外側に突出されており、工具本体１０の中に押し込むようにして操作される。押し込み操作の押し込み力が解除されれば、戻しばね５２の付勢力によって、工具本体１０の外側に突出した状態に戻る。
【００５１】
巻取ディスク５４は、工具本体１０の一方のケース半体１１に回転自在に取り付けられている。この巻取ディスク５４は、前記巻取軸５５と同軸上に配置して、前記巻取軸５５に重ね合わせて設けられている。具体的には、ケース半体１１に回転自在に支持された巻取ディスク５４のケース半体１２に臨む側に巻取軸５５を重ね合わせている。巻取ディスク５４と巻取軸５５とは、それぞれ独立して回転できる。
【００５２】
巻取軸５５のフランジ部５５ｂには、逆転防止用のラチェット溝５５ｃの他に、巻取ディスク５４からの回転力伝達用のラチェット溝５５ｄも形成されている。ラチェット溝５５ｄは、フランジ部５５ｂにおいて、逆転防止用のラチェット溝５５ｃよりも巻取ディスク５４の側の位置で、ラチェット溝５５ｃと並列に周設されている。
なお、巻取軸５５のフランジ部５５ｂは、巻取軸本体５５ａよりも、巻取ディスク５４に近い側に設けられている。巻取軸本体５５ａは、フランジ部５５ｂから、ケース半体１２側に突出している。
【００５３】
巻取ディスク５４は、前記ピニオンギア５３と、前記巻取軸５５の前記ラチェット溝５５ｄに係脱可能に係合するラチェット爪５７（弾性爪）とが形成された円盤状の部材である。ラチェット爪５７は、巻取ディスク５４の外周部の巻取軸５５に臨む側の面に突設されている。
【００５４】
この駆動部５では、押しボタン５１が押し込み操作されることで、押しボタン５１側のラック５１ａと巻取ディスク５４側のピニオンギア５３との噛み合わせによって、巻取ディスク５４が回転され、さらに、巻取ディスク５４のラチェット爪５７が巻取軸５５のラチェット溝５５ｄに係合して、巻取軸５５が巻取ディスク５４に従動回転される。これにより、巻取軸５５の巻取軸本体５５ａに外嵌めしたカセット３の巻取リール３２が巻取軸５５と一体回転されることで、巻取リール３２での清掃テープ２の巻き取りと、供給リール３１から巻取リール３２への清掃テープ２の前進送りとが実現される。
【００５５】
巻取ディスク５４のラチェット爪５７は、押しボタン５１の押し込み操作によって巻取ディスク５４がテープ巻取方向に回転（図４、図５中、矢印Ａ方向の回転）されると、巻取軸５５の前記ラチェット溝５５ｄに係合して、巻取軸５５を巻取ディスク５４に従動回転させる。
逆に、戻しばね５２の付勢力によって押しボタン５１が押し込み操作前の位置に押し戻されることに伴い巻取ディスク５４がテープ巻取方向とは逆向きに回転されるときには、巻取軸５５が逆転防止用ラチェット爪５６によって逆転（テープ巻取方向とは逆向きの回転）しないように係止される巻取軸５５の前記ラチェット溝５５ｄにラチェット爪５７が係合することなく滑るため、巻取ディスク５４に巻取軸５５が従動回転することは無い。
巻取ディスク５４のラチェット爪５７と、巻取軸５５のラチェット溝５５ｄとは、押しボタン５１の押し込み操作時に前記巻取ディスク５４に前記巻取軸５５をテープ巻取方向に従動回転させ、押し込み操作された押しボタン５１が前記戻しばね５２によって初期位置に戻されるときに、前記巻取軸５５に対する前記巻取ディスク５４の回転を許可する巻取用ラチェット機構を構成する。
【００５６】
図示を略すが、供給リール支持軸１８は、割り溝１８ａによって複数に分割されている。この供給リール支持軸１８は、供給リール３１の円筒軸３１ａの内径よりも僅かに大きい外径を有しているが、前記割り溝１８ａによって弾性変形することで、供給リール３１の円筒軸３１ａを押し込むことで外嵌めできるようになっている。
供給リール支持軸１８に押し込んで外嵌めした供給リール３１は、円筒軸３１ａ内面に供給リール支持軸１８が圧接することにより回転抵抗が与えられる。
前記割り溝１８ａ及び該割り溝１８ａが形成された供給リール支持軸１８は、供給リール３１に回転抵抗を与えて、前記清掃テープ２のたるみを防止するたるみ防止機構として機能する。
たるみ防止機構としては、例えば、供給リール支持軸１８の外周面、及び／又は、供給リール３１の円筒軸３１ａの内周面に、回転抵抗発生用の溝や凹凸を形成したもの等であっても良い。
【００５７】
（清掃工具の組み立て）
清掃工具１を組み立てるには、工具本体１０の一対のケース半体１１、１２を分離させた状態で、カセット３の供給リール３１及び巻取リール３２の円筒軸３１ａ、３２ａを、ケース半体１１内側に突設されている供給リール支持軸１８と、駆動部５の巻取軸５５の巻取軸本体５５ａとに嵌め込む。次に、一対のケース半体１１、１２を一体化して、工具本体１０を組み立てる。一対のケース半体１１、１２を一体化して、工具本体１０を組み立てる際には、突出筒部１４先端の挿入部嵌合穴１４ａに挿入部４を嵌め込み、突出筒部１４にクランプリング１７を外嵌めして固定する。
これにより、清掃工具１が組み立てられる。
【００５８】
（光コネクタ端面の清掃）
清掃工具１を用いて、光コネクタアダプタ７０の片側に挿入して接続されている光コネクタ６０のフェルール６１の接合端面６１ａを清掃するには、図１１に示すように、清掃工具１の挿入部４を、光コネクタ６０が接続されている側とは逆の側から光コネクタアダプタ７０に挿入する。そして、前記光コネクタ６０のフェルール６１の接合端面６１ａに清掃テープ２を押し当てたまま、押しボタン５１を押し込み操作する。これにより、清掃テープ２が、供給リール３１から巻取リール３２へ前進送りされて、接合端面６１ａが清掃される。
清掃テープ２は、前進送りによって、フェルール６１の接合端面６１ａに対して摺動移動されることで、いわば拭き取り清掃のようにして、接合端面６１ａの埃等を除去する。
【００５９】
前述したように、清掃工具１の挿入部４は、光コネクタ６０のハウジング６２に対応させた挿入ハウジング４１０の外観形状によって、光コネクタアダプタ７０のコネクタ収容穴７２内にて、前記光コネクタ６０に対して光コネクタアダプタ７０の反対側から挿入されて接続される光コネクタ（光コネクタプラグ）と同様に位置決めされる。これにより、挿入部４のヘッド部材４２０の先端面４２４が、光コネクタ６０のフェルール６１の接合端面６１ａに対向する位置に位置決めされ、ヘッド部材４２０に巻き掛けられている清掃テープ２を、ヘッド部材４２０の先端面４２４によってフェルール６１の接合端面６１ａに押し当てることができる。
【００６０】
光コネクタ６０先端のフェルール６１としては、突き合わせ接続するフェルール６１同士の高精度の位置決めのためのガイドピン６５が接合端面６１ａから突出されているものと、ガイドピン６５が嵌合されていない空のガイドピン穴６１ｃ（ガイドピン６５が入っていないガイドピン穴６１ｃ）が接合端面６１ａに開口されているものとがある。
図６（ｃ）、図１０に示すように、挿入部４のヘッド部材４２０の先端部４２２には、フェルール６１の接合端面６１ａに突設されているガイドピン６５が挿入されるガイドピン収納穴４２７が２つ形成されている。このガイドピン収納穴４２７は、ヘッド部材４２０の先端面４２４に開口されている。このガイドピン収納穴４２７は、ガイドピン６５が接合端面６１ａから突出されているタイプのフェルール６１の接合端面６１ａを清掃する場合に、フェルール６１の接合端面６１ａに突出されているガイドピン６５を収納して、ヘッド部材４２０の先端面４２４による、清掃テープ２の、光コネクタ６０のフェルール６１の接合端面６１ａへの押し付けを可能にするものである。
したがって、この清掃工具１によれば、ガイドピン６５が接合端面６１ａから突出されているタイプのフェルール６１の接合端面６１ａを清掃する場合であっても、光コネクタアダプタ７０に挿入した挿入部４のヘッド部材４２０の先端面４２４によって、清掃テープ２を、光コネクタ６０のフェルール６１の接合端面６１ａに確実に押し当てることができ、接合端面６１ａの清掃を、ガイドピン６５が突設されていないフェルール６１の場合と同様に行える。
【００６１】
清掃テープ２は、フェルール６１の接合端面６１ａの中央部、すなわち、接合端面６１ａの内、光ファイバ穴６１ｂが開口されている領域を含む部分に押し当てられる。
なお、ヘッド部材４２０の先端部４２２に巻き掛けられた清掃テープ２は、前述したように、挿入部４において、ヘッド部材４２０のガイド溝４３０内に収納されて、ガイド溝４３０内面にガイドされながら送り移動（前進送り）されるため、前進送りによって、ヘッド部材４２０の先端面４２４における設置位置がずれる、といった心配は無い。
【００６２】
押しボタン５１を１回押し込み操作すると、清掃テープ２が、フェルール６１の接合端面６１ａの清掃に必要な最低限の送り量（長さ）か、あるいは、それよりも若干長い送り量で前進送りされる。
これにより、フェルール６１の接合端面６１ａを確実に清掃できる。
【００６３】
押し込み操作した押しボタン５１の押し込み力を解除すると、戻しばね５２の付勢力によって、押しボタン５１が押し込み操作前の初期位置に押し戻される。この際、押しボタン５１の押し戻しに伴うラック５１ａの移動によって、ラック５１ａに噛み合わされているピニオンギア５３が形成されている巻取ディスク５４が、テープ巻取方向とは逆向きに回転されるが、ケース半体１１に突設されている逆転防止用ラチェット爪５６と巻取軸５５の逆転防止用ラチェット溝５５ｃとの係合によって巻取軸５５がテープ巻取方向と逆の向きに回転することが防止され、しかも、巻取ディスク５４に突設されている巻取用ラチェット爪５７が巻取軸５５の巻取用ラチェット溝５５ｄに対して係合することなく、滑り移動する。結果、巻取軸５５は、押しボタン５１の押し込み操作の完了時の位置のまま、回転せず、巻取軸５５に対して巻取ディスク５４が相対的に、テープ巻取方向とは逆向きに回転する。
巻取軸５５のテープ巻取方向とは逆向きの回転が規制されることで、清掃テープ２に無用な弛みが形成されることが防止される。また、清掃テープ２の内、フェルール６１の接合端面６１ａと接触済みの部分が、接合端面６１ａに再接触することを確実に防止できる。これにより、清掃テープ２に付着した埃やゴミ等が、接合端面６１ａに移るといった不都合を防止できる。
【００６４】
押しボタン５１の押し込み操作を、ラック−ピニオン機構によって清掃テープ２の送り移動に変換する構成の駆動部５であれば、特許文献１〜３に開示されているような、操作ダイヤルの手動回転操作によって清掃テープを送り移動する構成の駆動部では、清掃テープの送り量を確保するために大型の操作ダイヤルを必要とすることに比べて、駆動部の小型化が可能である、といった利点がある。
また、押しボタン５１の１回の押し込み操作で、清掃テープに、１回分の清掃に必要な送り量を確保できることから、特許文献１〜３の操作ダイヤルを手動回転操作する構成の駆動部に比べて、清掃テープ２を無駄に前進送りさせてしまったり、送り量が不足するといった不都合を回避しやすい。
【００６５】
なお、押しボタン５１の１回の押し込み操作による清掃テープ２の送り量は、必ずしも、フェルール６１の接合端面６１ａの１回の清掃に丁度足る程度の長さとする必要はなく、例えば、押しボタン５１の押し込み操作を所定回数（複数回）行うことで、１回の清掃に足る送り量となるようにしても良い。
【００６６】
フェルール６１の接合端面６１ａの清掃が完了したら、清掃工具１の挿入部４を光コネクタアダプタ７０から引き抜く。
【００６７】
（清掃テープの交換）
清掃工具１内の清掃テープ２を交換するには、工具本体１０を二つのケース半体１１、１２に分解して、カセット３を交換すれば良い。
カセット３を交換するには、まず、カセット収納部１３から、使用済みカセット３を取り出す。また、工具本体１０から挿入部４を取り外し、挿入部４の挿入ハウジング４１０からヘッド部材４２０を取り出して、ヘッド部材４２０の先端部４２２に巻き掛けられている清掃テープ２を、ヘッド部材４２０から離脱させる。これにより、工具本体１０からのカセット３の取り出しを実現できる。カセット収納部１３から、挿入部４に引き込むようにして、ヘッド部材４２０に巻き掛けられた清掃テープ２も、残すことなく、工具本体１０から取り出せる。
【００６８】
工具本体１０内に収納されていたカセット３及び清掃テープ２の取り出しが完了したら、新品カセット３をカセット収納部１３に収納する。また、カセット３のテープ引出口３４から引き出した清掃テープ２を挿入部４のヘッド部材４２０に巻き掛け、ヘッド部材４２０を挿入ハウジング４１０に組み込んで挿入部４を組み立てる。
以下、カセット３を工具本体１０内に収納する場合と同様に、工具本体１０を組み立て、挿入部４を工具本体１０に固定することで、清掃テープ２の交換作業が完了する。
【００６９】
本発明に係る清掃工具１によれば、工具本体１０内にカセット３を収納することで、供給リール３１と巻取リール３２とを、一括して工具本体１０内に組み込むことができる。また、カセット３の交換によって、供給リール３１と巻取リール３２とを、一括して交換することができる。
このため、工具本体１０内へのリールの組み込みあるいは交換といった作業中に、供給リール及び／又は巻取リールを落として、清掃テープ２を汚してしまうといった不都合を生じにくい。
また、清掃テープ２は、カセット３のテープ引出口３４から引き出さない限り、カセット３内に収納されたままである。このため、供給リールと巻取リールとを個別に工具本体に収納する従来技術のように、収納作業中に、供給リールに巻かれていた清掃テープが不必要に長く巻き出されてしまい、清掃テープを、捩れや折り曲げ等によって傷めたり、汚してしまう、といった不都合を回避できる。すなわち、収納作業中での、清掃テープ２の保護、清浄維持を容易に実現できる。
【００７０】
（清掃テープが３本一組になっている態様）
上述した実施形態では、１本の帯状の清掃テープ２を適用する清掃工具を例示した。
本発明に係る清掃工具は、図１３、図１６に示すように、横並びに配列した３本の清掃テープを一組の清掃テープとして適用するものであっても良い。
ここで例示する３本一組の清掃テープは、図１５に示す光コネクタの接合端面６１ａの内、ガイドピン穴６１ｃの間に位置する部分である中央領域Ｅ１を清掃する清掃テープ２Ａと、ガイドピン穴６１ｃを介して中央領域Ｅ１の外側に位置する外側領域Ｅ２，Ｅ２を清掃する清掃テープ２Ｂ，２Ｃとで構成したものである。
【００７１】
清掃テープ２Ａ，２Ｂ，２Ｃの幅は、清掃すべき領域Ｅ１，Ｅ２の幅に合わせられている。ここでは、中央領域Ｅ１を清掃する清掃テープ２Ａの幅は、外側領域Ｅ２を清掃する清掃テープ２Ｂ，２Ｃの幅よりも広いものとなっている。
清掃テープ２Ａ〜２Ｃ（以下、単にテープということがある）の材質は、前述した清掃テープ２と同様である。
【００７２】
図１６に示すように、清掃テープ２Ａ，２Ｂ，２Ｃは互いに分離されている、それぞれ独立の清掃テープである。図中央部の清掃テープ２Ａと、両側の清掃テープ２Ｂ，２Ｃとの間には、隙間２Ｓがある。これにより、ガイドピン６５がガイドピン穴６１ｃに挿入されて接合端面６１ａから突出している光コネクタ６０の場合でも、ガイドピン６５が清掃テープ２Ａ〜２Ｃ同士の隙間２Ｓに逃げて、接合端面６１ａの上記中央領域Ｅ１と外側領域Ｅ２，Ｅ２とを同時に効率良く清掃できる。つまり、この隙間２Ｓが、突出部材逃げ部として機能する。
【００７３】
カセット３の供給リール３１及び巻取リール３２では、一対の鍔部の間のテープ収納空間において、３本の清掃テープ２Ａ，２Ｂ，２Ｃが、横並びに配列（並列）された状態で巻き付けられる。
３本の清掃テープ２Ａ，２Ｂ，２Ｃは、並列状態を保ったまま、工具本体１０内で、供給リール３１から巻取リール３２まで延在する。供給リール３１から巻取リール３２への前進送りを行っても、常時、３本並列の状態を保つ。
【００７４】
図１２〜図１４、図１６は、３本一組の清掃テープに対応する構造を有する挿入部２０の一例を示す。
図示例の挿入部２０は、挿入ハウジング４１０と、挿入ハウジング４１０内に収納されるヘッド部材２１とを具備して構成されている。
このヘッド部材２１は、挿入部２０を光コネクタアダプタ７０に挿入した時に清掃すべき光コネクタ６０の接合端面６１ａに清掃テープ２を押し当てるための先端面２４を有するヘッド本体２３と、該ヘッド本体２３から前記先端面２４に対する逆側であるヘッド本体２３の裏面２７の側に連結され、ヘッド本体２３を支持する支持機構４０とを具備して構成されている。
【００７５】
ヘッド部材２１は、ここではヘッド本体２３と支持機構４０とが一体成形された１部品の樹脂成形品である。このヘッド部材２１は、例えばポリオキシメチレン（ＰＯＭ）などのプラスチックから適宜の成形法を用いて製造することができる。
図１２、図１６に示すように、ヘッド本体２３は、略四角形状の先端面２４をもち、光コネクタ６０の接合端面６１ａに対する当接面積を有効に確保できるようになっている。  このヘッド部材２１は、ヘッド本体２３の先端面２４付近が、挿入ハウジング４１０の先端から少しだけ突出されるようにして、挿入ハウジング４１０内に組み込まれる。
【００７６】
ヘッド本体２３には、清掃対象のフェルール６１の接合端面６１ａから突出するガイドピン６５を受け入れて収納することができる一対のガイドピン収納穴２３ａが、先端面２４に開口させて形成されている。
ヘッド本体２３の両側部（ここでは図１２、図１３（ｂ）におけるヘッド本体２３の上下両側）には、ヘッド本体２３に巻き掛けられる清掃テープ２Ａ〜２Ｃの送りをガイドするガイド溝２５Ａ，２５Ｂ，２５Ｃが設けられている。これらのガイド溝２５Ａ，２５Ｂ，２５Ｃは、テープ位置決め機構として機能するものである。
なお、図示を略すが、固定用基端部４３の両側部（ここでは図１２、図１３（ｂ）における固定用基端部４３の上下両側）にも、清掃テープ２Ａ〜２Ｃが挿通されるガイド溝が設けられる。
【００７７】
ヘッド本体２３の先端面２４には、清掃テープ２Ａ〜２Ｃの長手方向の途中が配置される。ヘッド本体２３の一方の側のガイド溝２５Ａ，２５Ｂ，２５Ｃには、清掃テープ２Ａ〜２Ｃの内、ヘッド本体２３の先端面２４からテープ送り方向の上流側（供給リール３１側。ここでは図１２、図１３（ｂ）の下側）が収納される。ヘッド本体２３の他方の側のガイド溝２５Ａ，２５Ｂ，２５Ｃには、清掃テープ２Ａ〜２Ｃの内、ヘッド本体２３の先端面２４からテープ送り方向の下流側（巻取リール３２側。ここでは図１２、図１３（ｂ）の上側）が収納される。
【００７８】
図１２、図１３（ａ）、（ｂ）に示すように、支持機構４０は、ヘッド本体２３の裏面２７に形成された凹所２７ａから突出する傾動用バネ４１と、傾動用バネ４１に連結された圧縮用バネ４２と、圧縮用バネ４２の傾動用バネ４１と反対側に連結された板状の固定用基端部４３を有する。
【００７９】
挿入ハウジング４１０内にヘッド部材２１を収納した挿入部２０は、突出筒部１４の先端に組み込む際に、挿入ハウジング４１０の基端部側に突出させた固定用基端部４３を、工具本体１０の突出筒部１４の内面に形成された取付凹所１４ｂに取り出し可能に嵌め込む。これにより、ヘッド部材２１が工具本体１０（詳細には、突出筒部１４）に位置決めして取り付けられる。
挿入ハウジング４１０の取付構造は、前述した、ヘッド部材に両側から係合する弾性爪によるもの等、各種採用可能である。
なお、ヘッド部材２１は、工具本体１０に取り付けるようにした構成に限定されず、挿入ハウジング４１０に、係合爪の係脱可能な係合等によって取り付ける構成も採用可能である。但し、挿入ハウジング４１０の基端側からのヘッド部材２１の挿脱を可能にするものを採用する。
【００８０】
傾動用バネ４１は、特に形状等が限定されるものではないが、ここでは、図１２、図１３（ａ）、（ｂ）に示すように、湾曲板状（具体的にはＵ字板状）に形成されている。
圧縮用バネ４２は、傾動用バネ４１と固定用基端部４３とを伸縮可能に連結する連結部として機能する。
この圧縮用バネ４２は、ここではバネ連結ブロック４２ｃと、このバネ連結ブロック４２ｃから延びる一対の波形バネ４２ａとで構成されている。一対の波形バネ４２ａは、挿入部２０の幅方向（図１３（ａ）の上下方向）に対称に配置されている。一対の波形バネ４２ａは、一端がバネ連結ブロック４２ｃに連結され、他端が固定用基端部４３に連結されている。
なお、図１３（ａ）、（ｂ）中、符号２８ａは、挿入ハウジング４１０内に突設されたストッパ壁である。このストッパ壁２８ａは、カセット収納部１３側からバネ連結ブロック４２ｃが当接されることで、支持機構４０の弾性変形を規制して、ヘッド本体２３の挿入ハウジング４１０からの突出量が過剰になることを防止する。
【００８１】
傾動用バネ４１と、圧縮用バネ４２の一対の波形バネ４２ａとは、バネ連結ブロック４２ｃを介して連結されている。傾動用バネ４１は、バネ連結ブロック４２ｃから、一対の波形バネ４２ａとは逆向きに延出されている。また、バネ連結ブロック４２ｃにおける傾動用バネ４１の連結位置は、バネ連結ブロック４２ｃにおいて互いに離隔した２箇所に連結されている波形バネ４２ａの連結位置の丁度中間地点に位置する。
【００８２】
挿入部２０を光コネクタアダプタ７０に挿入し、ヘッド部材２１によって、清掃テープ２Ａ〜２Ｃを、清掃対象の光コネクタ６０の接合端面６１ａに押し当てると、傾動用バネ４１及び圧縮用バネ４２の内の少なくとも圧縮用バネ４２の弾性変形により、清掃テープ２Ａ〜２Ｃに、清掃対象の光コネクタ６０の接合端面６１ａに圧接させる付勢力が作用する。圧縮用バネ４２の一対の波形バネ４２ａは、挿入ハウジング４１０内で圧縮変形（弾性変形）される。
【００８３】
また、傾動用バネ４１及び圧縮用バネ４２の一対の波形バネ４２ａが弾性変形できることにより、光コネクタアダプタ７０内の光コネクタ６０の傾斜（例えば、フェルール６１の傾動による接合端面６１ａの傾斜）等が発生しても、ヘッド本体２３の先端面２４をフェルール６１の接合端面６１ａに向けて付勢する付勢力の偏在を防止できる。これにより、光コネクタ６０の接合端面６１に、各清掃テープ２Ａ〜２Ｃを押し当てる付勢力を一様に保つことができる。
傾動用バネ４１及び圧縮用バネ４２の弾性変形は、光コネクタ６０の接合端面６１ａに対するヘッド本体２３の押圧力が過剰となることに起因する接合端面６１ａの傷付き、光コネクタ６０の損傷や変形、などといった不都合を防止する役割も果たす。
【００８４】
また、この挿入部２０は、傾動用バネ４１の弾性変形によってヘッド本体２３が傾動できる。
これにより、例えば、光コネクタ６０の接合端面６１ａが光軸に対して斜め研磨されている場合（図１４参照）でも、光コネクタ６０の接合端面６１ａに向かってヘッド本体２３を押圧していけば、ヘッド本体２３の傾動によって、ヘッド本体２３の先端面２４の向きが光コネクタ６０の接合端面６１に合致（先端面２４と接合端面６１とを平行にする）し、各清掃テープ２Ａ〜２Ｃを光コネクタ６０の接合端面６１に確実に押し当てることができる。各清掃テープ２Ａ〜２Ｃを、光コネクタ６０の接合端面６１に押し当てる付勢力の均等化も図られる。
【００８５】
つまり、湾曲板状（具体的にはＵ字板状）の傾動用バネ４１は、挿入部２０の幅方向に延びる仮想軸線を湾曲半径の中心として湾曲形成された部分を有し、全体として、湾曲板状に形成されている。
ヘッド本体２３が、光コネクタ６０の斜め研磨された接合端面６１ａに向かって押圧されると、傾動用バネ４１が弾性変形されるとともに（傾動用バネ４１が、湾曲半径が小さくなるように変形）、ヘッド部材２１の内、傾動用バネ４１とヘッド本体２３との連結部４１ａ、及び、傾動用バネ４１とバネ連結ブロック４２ｃとの連結部４１ｃが、変形して、挿入部２０の幅方向に延びる仮想回転軸の如く機能することで、ヘッド本体２３の先端面２４が光コネクタ６０の接合端面６１ａに沿った向きとなるように、ヘッド本体２３が傾動する。
なお、傾動用バネ４１の変形も、前述の連結部４１ａ、４１ｃ間における傾動用バネ４１の延在方向中央部４１ｂを、挿入部２０の幅方向に延びる仮想回転軸として機能させるように変形することで、ヘッド本体２３の円滑な傾動に寄与する。
【００８６】
支持機構４０は、清掃テープ２Ａ〜２Ｃをヘッド本体２３によって光コネクタ６０の接合端面６１ａに弾性付勢するための付勢手段としての機能と、光コネクタ６０の接合端面６１ａに対応させてヘッド本体２３の傾斜角度を可変とするための傾斜支持手段としての機能とを具備するものであり、上記２機能を具備するものであれば、前述した構造のものに限定されず、様々な構造のものを採用できる。
【００８７】
（別実施形態）
図１７〜図２０を参照して、本発明の別実施形態の清掃工具１０１を説明する。
図１７〜図２０に示すように、清掃工具１０１の工具本体１１０は、一対のケース半体１１１、１１２によって開閉可能に構成されている点は、前述した実施形態の光コネクタ清掃工具１の工具本体１０と同様である。但し、この清掃工具１０１の工具本体１１０は、後述するカセット３００のリール収納部３０２を収納するカセット収納部１１３を有するものの、突出筒部は有していない。
【００８８】
また、巻取リール３２の巻取駆動用の駆動部（図２０等参照）は、工具本体１１０（カセット収納部１１３）の一対のケース半体の内の片方（ここでは、符号１１１のケース半体）に組み込まれている。カセット３００をカセット収納部１１３内に収納すると、カセット３００の巻取リール３２の円筒軸３２ａが、駆動部の巻取軸５５に嵌り込んで一体的に回転できるようになり、巻取リール３２を巻取駆動するための回転駆動力が伝達可能となる。
【００８９】
この清掃工具１０１では、既述の清掃工具１とは異なる構造のカセット３００を採用している。
このカセット３００の外装ケース３０１は、供給リール３１及び巻取リール３２を収納し、前記工具本体１１０のカセット収納部１１３に収納されるリール収納部３０２と、このリール収納部３０２から突出する筒状に形成された筒状テープガイド３０３とを具備している。筒状テープガイド３０３は、前記リール収納部３０２からの突出先端に、ヘッド部材３０５を着脱可能に取り付けるためのヘッド部材取付部３０４を具備している。筒状テープガイド３０３は、工具本体１１０から外側に突出されており、ヘッド部材取付部３０４は工具本体１１０の外側に配置される。
【００９０】
リール収納部３０２は細長に形成されている。
供給リール３１及び巻取リール３２は、リール収納部３０２の長手方向に互いの位置をずらして設けられている。
筒状テープガイド３０３は、リール収納部３０２から、リール収納部３０２の長手方向に対して傾斜して延びている。
【００９１】
前記筒状テープガイド３０３の内側には、前記リール収納部３０２から引き出されて、ヘッド部材３０５に巻き掛けられる清掃テープ２が通される。ヘッド部材取付部３０４は、テープ引出口としての機能を兼ねる。
図１８中、符号３０６は、筒状テープガイド３０３の内側に突設されたリブ状の仕切壁である。この仕切壁３０６は、リール収納部３０２から引き出されてヘッド部材３０５に巻き掛けられた清掃テープ２の内の、ヘッド部材３０５から送り方向上流側の部分と、ヘッド部材３０５から送り方向下流側の部分との間を仕切って、接触を防止するためのものである。
【００９２】
図１８等では、ヘッド部材３０５として、図１２等に示したヘッド部材２１を採用した場合を例示したが、採用可能なヘッド部材としては、これに限定されない。
また、図示を略しているが、ヘッド部材３０５の外側には、挿入ハウジングを交換可能に装着する。この挿入ハウジングの筒状テープガイド３０３先端に対する取付構造には特には限定は無い。なお、場合によっては、挿入ハウジングの装着は省略が可能である。このことは、前述した図１〜図１６を参照して説明した清掃工具１でも、共通である。
ヘッド部材３０５及び挿入ハウジングを、筒状テープガイド３０３先端に組み付けることで、光コネクタアダプタ等のコネクタハウジングに挿入する挿入部が組み立てられる。
【００９３】
また、この清掃工具１０１の駆動部としては、前記工具本体１１０に枢着された引き金状の押しボタン５１（引き金１５１）を採用している。また、押しボタン５１の戻しばね５２として、トーションバネ１５２を採用している。
これら以外の点は、駆動部５と同様である。
ピニオンギア５３を回転させるためのラック５１ａは、押しボタン５１（引き金１５１）に形成されている。
【００９４】
この清掃工具１０１によれば、挿入部が、リール収納部３０２から、リール収納部３０２の長手方向に対して傾斜して延びている筒状テープガイド３０３の先端に設けられているため、挿入部を、光コネクタアダプタ等のコネクタハウジングに挿入したときに、清掃工具のコネクタハウジングからの突出寸法を抑えることができ、狭隘な作業スペースであっても、作業性を確保できるといった利点がある。
また、清掃工具１０１は、カセット３００（外装ケース３０１）の一部である筒状テープガイド３０３先端のテープ引出口として機能するヘッド部材取付部３０４にヘッド部材３０５を交換可能に取り付ける構造であるため、カセット３００と別体の工具本体にヘッド部材を取り付ける場合に比べて、ヘッド部材３０５への清掃テープ２の巻き掛け作業等を容易に行える等の利点がある。
また、この清掃工具１０１では、ヘッド部材３０５を装着済みのカセット３００の交換によって、清掃テープ２の交換を行うといったことも可能である。この場合、清掃テープ２の交換の手間が大幅に軽減され、また、清掃テープ２を不用意に汚したり、傷めてしまうといったことが生じにくくなるといった利点もある。
【００９５】
以上、本発明を好適な実施の形態に基づいて説明してきたが、本発明はこの実施の形態のみに限定されるものではなく本発明の要旨を逸脱しない範囲で種々の改変が可能である。
（１）工具本体としては、二つ割り構造のものに限定されない。工具本体としては、カセットの収納及び取り出しが可能なものであれば良く、例えば、カセットを挿脱するためのスリット状のカセット挿脱口を有する構造の工具本体等も採用可能である。
（２）本発明に係る清掃工具としては、一つの工具本体に、コネクタハウジングに挿入される挿入部が複数設けられた構成も採用可能である。
この場合、例えば、多連光コネクタアダプタや多連光コネクタレセプタクルなどといった、コネクタ収容穴を複数有する構成のコネクタハウジングに対して、複数の挿入部を一括挿入して、複数の光コネクタの接合端面の清掃を一括して行える構成とすることが可能である。
（３）挿入部を挿入するコネクタハウジングとしては、光コネクタアダプタに限定されず、光コネクタレセプタクルであっても良い。
光コネクタレセプタクルの場合、本発明に係る清掃工具は、光コネクタレセプタクルのコネクタ収容穴内のフェルールの接合端面を清掃テープで清掃する。この場合、清掃テープを押し当てて清掃する清掃対象の光コネクタは、光コネクタレセプタクル自体ということができる（光コネクタレセプタクルが清掃対象の光コネクタを兼ねる）。
（４）挿入部は、コネクタハウジングの種類やサイズなどに対応するために、工具本体に対して複数種類の挿入部が交換可能なものとして構成することもできる。挿入ハウジングとヘッド部材との組み合わせによって、コネクタハウジングの種類やサイズ、清掃対象の光コネクタの種類等に対応する、汎用性を確保できるようにする。複数種類の挿入部は、工具本体に固定する部分の構造を共通化しておくことが好ましい。
（５）テープを送り移動する駆動部は、手動により駆動されるものに限定されず、電動モータなどの動力源により駆動されるようにしたものでもよい。
また、手動と動力源による駆動とを、併用したり、必要に応じて切り換えられるようにしてもよい。
（６）上記実施の形態の清掃工具は、光ファイバアレイや基板型光導波路（Planar Lightwave Circuit）、光トランシーバーなどの光部品について用いられる光部品清掃工具として、光導波路（光ファイバでありうる）の端面が配置された光部品の端面の清掃に用いることもできる。
光ファイバアレイとしては、光ファイバが、基板に形成された１本または並設された複数のＶ溝等の位置決め溝に保持され、前記位置決め溝は、該基板の少なくとも一端まで延在しており、前記基板の一端に前記光ファイバの端面が配置されることにより、端面とされたものなどが挙げられる。基板型光導波路を有した光部品も種々の構成が知られている。本発明の光部品清掃工具によれば、光部品の端面がハウジングなどの凹所に配置されている場合でも、光コネクタの接合端面の代わりに、他の光部品の端面、つまり、光ファイバの端面や基板等の端面を、ヘッドに巻き掛けられた清掃テープによって清掃することができる。
（７）請求項２−１０記載の構成は、本発明に係る光部品清掃工具にも適用可能である。
【図面の簡単な説明】
【００９６】
【図１】本発明の一実施の形態に係る清掃工具（光コネクタ清掃工具、光部品清掃工具）の外観を示す図であり、（ａ）は正面図、（ｂ）は平面図、（ｃ）は挿入部側から見た側面図である。
【図２】図１の清掃工具（組み立てた状態）を示す平断面図である。
【図３】図１の清掃工具の構造を分解して示した平断面図である。
【図４】図１の清掃工具における、清掃テープを送り移動するための駆動部を示す図である。
【図５】図４の駆動部の巻取用ディスクとラチェット爪との関係を示す図である。
【図６】図１の清掃工具の挿入部付近を示す図であり、（ａ）は平断面図、（ｂ）は正断面図、（ｃ）は挿入部を先端側（光コネクタの接合端面に押し当てられる側）から見た図である。
【図７】図１の清掃工具の工具本体内に収納されるカセットを示す平断面図である。
【図８】図７のカセットを示す正断面図である。
【図９】図１の清掃工具における、清掃テープと、挿入部のヘッド部材との関係を示す図である。
【図１０】本発明に係る清掃工具の適用対象の光コネクタ、光コネクタアダプタ、並びに、清掃工具の挿入部付近を示す斜視図である。
【図１１】光コネクタアダプタ内にて、清掃工具の挿入部のヘッド部材に巻き掛けられた清掃テープを、光コネクタの接合端面に押し当てた状態を模式的に示す断面図である。
【図１２】別態様の挿入部に適用されるヘッド部材を示す斜視図である。
【図１３】図１２の挿入部を示す図であり、（ａ）は平断面図、（ｂ）は正断面図である。
【図１４】光コネクタの斜め研磨された接合端面に、図１２のヘッド部材によって、清掃テープを押し当てた状態を示す図である。
【図１５】光コネクタのフェルールの接合端面を示す図である。
【図１６】図１２のヘッド部材を先端面側から見た図である。
【図１７】本発明の別実施形態の清掃工具（光コネクタ清掃工具、光部品清掃工具）の外観を示す図であり、（ａ）は平面図、（ｂ）は正面図、（ｃ）は挿入部側から見た側面図である。
【図１８】図１７の清掃工具を示す図であって、内部構造を示す図である（カセットについても内部構造を図示した）。
【図１９】図１７の清掃工具を示す分解平面図である。
【図２０】図１７の清掃工具の駆動部付近を示す部分平断面図である。
【符号の説明】
【００９７】
１…清掃工具（光コネクタ清掃工具、光部品清掃工具）、２，２Ａ〜２Ｃ…清掃テープ、３…カセット、３１…供給リール、３２…巻取リール、３３…外装ケース、３４…テープ引出口、４…挿入部、４１０…挿入ハウジング、４２０…ヘッド部材、４２１…固定用基端部、５…駆動部、５１…押しボタン、５１ａ…ラック、５２…戻しばね、５３…ピニオンギア、５４…巻取ディスク、５５…巻取軸、５５ｃ…逆転防止用ラチェット溝、５５ｄ…巻取用ラチェット爪、５６…逆転防止用ラチェット爪、５７…巻取用ラチェット爪、１０…工具本体、１１、１２…ケース半体、１３…カセット収納部、１４…突出筒部、１４ａ…挿入部嵌合穴、１６…（ケース半体同士の）合わせ目、２０…挿入部、２１…ヘッド部材、４３…固定用基端部、６０…光コネクタ、６１…フェルール、６１ａ…接合端面、７０…コネクタハウジング（光コネクタアダプタ）、１０１…清掃工具（光コネクタ清掃工具、光部品清掃工具）、１１０…工具本体、１１１、１１２…ケース半体、１１３…カセット収納部、１１４…突出筒部、３００…カセット、３０１…外装ケース、３０２…リール収納部、３０３…筒状テープガイド、３０４…ヘッド部材取付部、３０５…ヘッド部材。
【図１】
2007003901.tif 000003
【図２】
2007003901.tif 000004
【図３】
2007003901.tif 000005
【図４】
2007003901.tif 000006
【図５】
2007003901.tif 000007
【図６】
2007003901.tif 000008
【図７】
2007003901.tif 000009
【図８】
2007003901.tif 000010
【図９】
2007003901.tif 000011
【図１０】
2007003901.tif 000012
【図１１】
2007003901.tif 000013
【図１２】
2007003901.tif 000014
【図１３】
2007003901.tif 000015
【図１４】
2007003901.tif 000016
【図１５】
2007003901.tif 000017
【図１６】
2007003901.tif 000018
【図１７】
2007003901.tif 000019
【図１８】
2007003901.tif 000020
【図１９】
2007003901.tif 000021
【図２０】
2007003901.tif 000022